(57)【特許請求の範囲】
【請求項１】
リンクプレートチェーン（１）であって、チェーンリンク（８，８′）を形成し、前記リンクプレートチェーン（１）の進行方向に対して横方向に積層されたリンクプレート（２）と対応リンクプレート（３）とを有する形式のものにおいて、
前記リンクプレート（２）及び／又は前記対応リンクプレート（３）が歯（９）を有しており、
前記リンクプレート（２）及び前記対応リンクプレート（３）の少なくともいずれか１つに隣接して配置されている、歯を備えていない少なくとも１つのスペースエレメント（１１，１１′，１１″，１１′′′，１１″″，１１ａ，１１ｂ，１１ｃ）を有しており、
該スペースエレメント（１１，１１′，１１″，１１′′′，１１″″，１１ａ，１１ｂ，１１ｃ）が、１つのチェーンリンク（８，８′）の２つのジョイントピン（４，５，６）を収容する孔（１３，１３ａ）又は開口（１６）を有するスペースリンクプレートであり、
前記スペースリンクプレートは、前記リンクプレート（２）及び前記対応リンクプレート（３）の厚さよりも厚く形成されており、
前記スペースリンクプレートは、前記リンクプレートチェーン（１）の進行方向に対して横方向で、前記チェーンリンク（８，８′）の中央の位置に配置され、これにより前記チェーンリンク（８，８′）は、前記スペースリンクプレートの両側で同じ積層厚さを有することを特徴とする、リンクプレートチェーン。
【請求項２】
リンクプレート（２）が、両端部にてジョイントによって対応リンクプレート（３）に結合されており、ジョイントが、ワンピースまたはマルチピースのジョイントピン（４，５，６）を有しており、該ジョイントピン（４，５，６）が、リンクプレート（２）と対応リンクプレート（３）とを互いに結合している、請求項１記載のリンクプレートチェーン。
【請求項３】
ジョイントピン（４，５，６）がマルチピースであって、１枚のリンクプレート（２）に対応配置されている１つのロッカーピン（５）を有しており、該ロッカーピン（５）がその転動プロフィール（７）で１枚の対応リンクプレート（３）に対応配置されている１つのロッカーピン（６）の転動プロフィール（７′）上を転動する、請求項１又は２記載のリンクプレートチェーン。
【請求項４】
スペースエレメント（１１，１１′，１１″，１１′′′，１１″″，１１ａ，１１ｂ，１１ｃ）が２枚のリンクプレート（２）の間に配置されている、請求項１から３までのいずれか一項記載のリンクプレートチェーン。
【請求項５】
スペースエレメント（１１，１１′，１１″，１１′′′，１１″″，１１ａ，１１ｂ，１１ｃ）が２枚の対応リンクプレート（３）の間に配置されている、請求項１から４までのいずれか一項記載のリンクプレートチェーン。
【請求項６】
スペースエレメント（１１，１１′，１１″，１１′′′，１１″″，１１ａ，１１ｂ，１１ｃ）が１枚のリンクプレート（２）と１枚の対応リンクプレート（３）との間に配置されている、請求項１から５までのいずれか一項記載のリンクプレートチェーン。
【請求項７】
多数のスペースリンクプレート（１１，１１′，１１″，１１′′′，１１″″，１１ａ，１１ｂ，１１ｃ）が１つのチェーンリンク（８，８′）の内側に配置されている、請求項１から６までのいずれか一項記載のリンクプレートチェーン。
【請求項８】
スペースリンクプレート（１１，１１′，１１″，１１′′′，１１″″，１１ａ，１１ｂ，１１ｃ）が、リンクプレート（２）および／または対応リンクプレート（３）の輪郭よりも小さい輪郭をチェーン走行平面において有している、請求項１から７までのいずれか一項記載のリンクプレートチェーン。
【請求項９】
スペースリンクプレート（１１，１１′，１１″，１１′′′，１１″″，１１ａ，１１ｂ，１１ｃ）が２つの孔（１３）を有しており、該孔（１３）がそれぞれ１つのジョイントピン（４，５，６）を収容している、請求項１から８までのいずれか一項記載のリンクプレートチェーン。
【請求項１０】
スペースリンクプレートが、２つのジョイントピン（４，５，６）を収容する収容開口（１３ａ）を有している、請求項１から８までのいずれか一項記載のリンクプレートチェーン。
【請求項１１】
スペースリンクプレート（１１，１１′，１１″，１１′′′，１１″″，１１ａ，１１ｂ，１１ｃ）が、それぞれ１つの貫通部（１７）を有する２つの開口（１６）を有しており、貫通部（１７）が、クリップ形式でスペースリンクプレートの固定を可能にする、請求項１から８までのいずれか一項記載のリンクプレートチェーン。
【請求項１２】
前記開口（１６）が、リンクプレートチェーン（１）の、歯（９）とは反対の側に配置されている、請求項１１記載のリンクプレートチェーン。
【請求項１３】
請求項１から１２までのいずれか一項記載のリンクプレートチェーンにおいて使用するスペースエレメント（１１，１１′，１１″，１１′′′，１１″″，１１ａ，１１ｂ，１１ｃ）。
【発明の詳細な説明】
【技術分野】
【０００１】
本発明は、リンクプレートチェーン、特にスタック状のチェーンリンクを形成するリンクプレートと対応リンクプレートとから成る歯付きリンクプレートチェーンに関する。
【０００２】
この種のリンクプレートチェーンは先行技術において公知である。たとえばＤＥ１９７０８８６５とそこで引用されている刊行物、ＥＰ０５１８４７８とＥＰ０７４１２５５を挙げたい。この種のチェーンは２リンクプレート複合体または３リンクプレート複合体で構成することができる。
【０００３】
ＵＳ１０２０１８０からモジュラー状に構成されたリンクプレートチェーンが公知である。このリンクプレートチェーンでは、別のリンクプレートスタックを接合することによるリンクプレートチェーンの拡幅が行われる。ＵＳ５８５７９３３から、より広幅なリンクプレートチェーンを形成するために２つのリンクプレートチェーンを互いに結合することが公知である。
【０００４】
先行技術に基づくリンクプレートチェーンが拡幅される場合、リンクプレートスタックに付加的なリンクプレートもしくは対応リンクプレートが接合される。このことは確かに結果的に拡幅されたチェーンのより高い引張剛性がもたらされるが、重量も相当高められてしまう。
【０００５】
本発明の課題は、リンクプレートチェーンの拡幅時に僅かな重量上昇だけしか伴わないリンクプレートチェーンを提供することである。
【０００６】
この問題は、リンクプレートチェーン、特に歯付きリンクプレートチェーンにより解決され、リンクプレートと対応リンクプレートとからスタック状にチェーンリンクを形成し、この場合、チェーンリンクの少なくとも１つの部分が、少なくとも１つのスペースエレメントを有している。有利には、リンクプレートは両端部でジョイントによって対応リンクプレートに結合されている。この場合、ジョイントは、ワンピースまたはマルチピースのジョイントピンを有している。このジョイントピンはリンクプレートと対応リンクプレートとを互いに結合していて、ジョイントピンに少なくとも１つのスペースエレメントが配置されている。有利には、全ジョイントピンに少なくとも１つのスペースエレメントが配置されている。
【０００７】
リンクプレート及び／又は対応リンクプレートは、有利には歯を有しているので、リンクプレートチェーンは歯付きリンクプレートチェーンである。有利には、ジョイントピンはマルチピースであって、１枚のリンクプレートに対応配置されている１つのロッカーピンを有していて、このロッカーピンがその転動プロフィールで、１枚の対応リンクプレートに対応配置されている１つのロッカーピンの転動プロフィール上を転動する。有利には、スペースエレメントは２枚のリンクプレートの間及び／又は２枚の対応リンクプレートの間に配置されている。スペースエレメントは１枚のリンクプレートと１枚の対応リンクプレートとの間に配置することもできる。有利には、スペースエレメントは、１つのチェーンリンクの２つのジョイントピンの間に配置されているスペースリンクプレートである。チェーンリンクは、有利には少なくとも一方の側にガイドリンクプレートを有している。この場合、スペースリンクプレートは、ガイドリンクプレートとリンクプレートとの間、もしくはガイドリンクプレートと対応リンクプレートとの間に配置されている。多数のスペースリンクプレートが１つのチェーンリンクの内側に配置されていてよい。有利には、スペースリンクプレートは、リンクプレート及び／又は対応リンクプレートの包絡輪郭よりも小さい包絡輪郭をチェーン走行平面に有している。択一的には、スペースリンクプレートはリンクプレート及び／又は対応リンクプレートの歯の領域に、リンクプレート及び／又は対応リンクプレートの歯の領域よりも大きく寸法設定されている包絡輪郭を有している。
【０００８】
スペースリンクプレートは２つの孔を有することができる。これらの孔はそれぞれ１つのジョイントピンを収容する。択一的にはスペースリンクプレートは、２つのジョイントピンを長孔の形式に基づいて収容する開口を有することができる。有利には、スペースリンクプレートは２つの開口を有していて、この開口はそれぞれ１つの貫通部を有している。これらの開口はスペースリンクプレートの取付けもしくは固定をクリップの形式で可能にする。この場合、有利には、これらの開口は歯とは反対の、リンクプレートチェーンの側に配置されている。
【０００９】
冒頭で述べた問題は、本発明によるリンクプレートチェーンにおいてスペースエレメントを使用することにより解決されもする。
【００１０】
本発明に係るリンクプレートチェーンは、リンクプレートチェーン、特に歯付きリンクプレートチェーンであって、スタック状のチェーンリンクを形成するリンクプレートと対応リンクプレートとから成る形式のものにおいて、チェーンリンクの少なくとも１つの部分が、少なくとも１つのスペースエレメントを有していることを特徴とする。
【００１１】
本発明に係るリンクプレートチェーンは、有利には、リンクプレートが、両端部にてジョイントによって対応リンクプレートに結合されており、ジョイントが、ワンピースまたはマルチピースのジョイントピンを有しており、該ジョイントピンが、リンクプレートと対応リンクプレートとを互いに結合しており、ジョイントピンに少なくとも１つのスペースエレメントが配置されている。
【００１２】
本発明に係るリンクプレートチェーンは、有利には、リンクプレート及び／又は対応リンクプレートが、歯を有している。
【００１３】
本発明に係るリンクプレートチェーンは、有利には、ジョイントピンがマルチピースであって、１枚のリンクプレートに対応配置されている１つのロッカーピンを有しており、該ロッカーピンがその転動プロフィールで１枚の対応リンクプレートに対応配置されている１つのロッカーピンの転動プロフィール上を転動する。
【００１４】
本発明に係るリンクプレートチェーンは、有利には、スペースエレメントが２枚のリンクプレートの間に配置されている。
【００１５】
本発明に係るリンクプレートチェーンは、有利には、スペースエレメントが２枚の対応リンクプレートの間に配置されている。
【００１６】
本発明に係るリンクプレートチェーンは、有利には、スペースエレメントが１枚のリンクプレートと１枚の対応リンクプレートとの間に配置されている。
【００１７】
本発明に係るリンクプレートチェーンは、有利には、スペースエレメントがスペースリンクプレートであって、該スペースリンクプレートが、１つのチェーンリンクの２つのジョイントピンの間に配置されている。
【００１８】
本発明に係るリンクプレートチェーンは、有利には、チェーンリンクが、少なくとも一方の側にガイドリンクプレートを有しており、スペースリンクプレートが、ガイドリンクプレートとリンクプレートとの間、もしくはガイドリンクプレートと対応リンクプレートとの間に配置されている。
【００１９】
本発明に係るリンクプレートチェーンは、有利には、多数のスペースリンクプレートが１つのチェーンリンクの内側に配置されている。
【００２０】
本発明に係るリンクプレートチェーンは、有利には、スペースリンクプレートが、リンクプレートおよび／または対応リンクプレートの包絡輪郭よりも小さい包絡輪郭をチェーン走行平面において有している。
【００２１】
本発明に係るリンクプレートチェーンは、有利には、スペースリンクプレートが、包絡輪郭をチェーン走行平面において有しており、該包絡輪郭が、リンクプレートおよび／または対応リンクプレートの歯の領域において、リンクプレートおよび／または対応リンクプレートの歯の一部領域の包絡輪郭よりも大きくなっている。
【００２２】
本発明に係るリンクプレートチェーンは、有利には、スペースリンクプレートが２つの孔を有しており、該孔がそれぞれ１つのジョイントピンを有している。
【００２３】
本発明に係るリンクプレートチェーンは、有利には、スペースリンクプレートが、２つのジョイントピンを収容する収容開口を有している。
【００２４】
本発明に係るリンクプレートチェーンは、有利には、スペースリンクプレートが、それぞれ１つの貫通部を有する２つの開口を有しており、貫通部が、クリップ形式でスペースリンクプレートの固定を可能にする。
【００２５】
本発明に係るリンクプレートチェーンは、有利には、開口が、リンクプレートチェーンの、歯とは反対の側に配置されている。
【００２６】
本発明に係るスペースエレメントは、請求項１から１５までのいずれか一項記載のリンクプレートチェーンにおいて使用するスペースリンクプレート。
【００２７】
以下に、本発明の実施例を添付図面につき説明する。
【００２８】
図１には、２リンクプレート複合体（Ｚｗｅｉｌａｓｃｈｅｎｖｅｒｂａｎｄ）、すなわち２つのリンクプレートからなる単位の繰り返しを備える背景技術によるリンクプレートチェーンの側面図が例示的に示されていて、図２には前記２リンクプレート複合体の平面図が示されている。図１および図２を参照しながら、リンクプレートチェーンの基本構造ならびに本発明による実施例で使用される概念について説明する。実施例は、２リンクプレート複合体を備えるリンクプレートチェーンを例にして記載されるが、３リンクプレート複合体（Ｄｒｅｉｌａｓｃｈｅｎｖｅｒｂａｎｄ）、すなわち３つのリンクプレートからなる単位の繰り返しを備えるリンクプレートチェーンでも適用可能である。リンクプレートチェーン１は、多数のリンクプレート２および対応リンクプレート３を有する。リンクプレート２および対応リンクプレート３はそれぞれ交互に配置されていて、ジョイントピン４によりヒジョイントとして結合されている。従って、１枚のリンクプレートの両端は１つのジョイントにより１枚または２枚の対応リンクプレートに結合されている。相応に、１枚の対応リンクプレートの両端は１つのジョイントにより１枚または２枚のリンクプレートに結合されている。ジョイントピン４はワンピースであってもよいが、有利にはツーピースであり、この場合、１つのロッカーピン５がそれぞれリンクプレートに対応配置されており、対応リンクプレート２に対応配置された別のロッカーピン６上で転動する。ロッカーピン５，６はこのためにそれぞれ１つの転動プロフィール７もしくは７′を有する。この転動プロフィール７もしくは７′により、ロッカーピン５，６は互いに転動もしくは滑動できる。転動プロフィール７，７′は同じであるか、または異なっていてよい。進行方向Ｌ（図１及び図２ではそれぞれ双方向矢印で示した）に対して横方向に、リンクプレート２および対応リンクプレート３は積層されている。その結果、進行方向Ｌに対して横方向に相並んで配置された２つのジョイントピン４の間には、オーバラップして配置された１枚の対応リンクプレートが配置されている。逆に、進行方向Ｌに対して横方向に相並んで位置する２枚の対応リンクプレートの間には、それぞれオーバラップして１枚のリンクプレートが配置されている。もちろん、このことはそれぞれ進行方向Ｌに対して横方向で外側に配置されたリンクプレート２もしくは対応リンクプレート３には当てはまらない。これらは片側にのみ隣のプレートを有する。リンクプレート２の、こうして形成されるリンクプレートスタックは、それぞれ、スタック状に１つのチェーンリンク８を形成する。相応に、対応リンクプレート３の（対応）リンクプレートスタックは、スタック状に１つのチェーンリンク８′を形成する。リンクプレート２と対応リンクプレート３とは本実施例では同一の構成部材であってよく、リンクプレート２と対応リンクプレート３との間の相違は、配置によってのみ識別可能である。図２には、それぞれ３枚のリンクプレート２および２枚の対応リンクプレート３からなる積層体が示されている。ここではまた、任意の別の枚数のリンクプレート２および対応リンクプレート３を備える積層体を設けることもできる。
【００２９】
リンクプレート２には、図１に見て取れるように、それぞれ歯９が設けられている。これらの歯９でもって、リンクプレートチェーン１は歯列、例えば歯車の歯列に噛合できる。その際、リンクプレート２と対応リンクプレート３との間のピッチは、総じてチェーンの伸展時に均等なピッチがリンクプレート歯９の間に生じるように設計されている。択一的には、付加的に、対応リンクプレート３に歯９を設けることができるので、全てのリンクプレートおよび対応リンクプレートにそれぞれ歯９が設けられている。しかし、それぞれリンクプレートおよび対応リンクプレートに唯一の歯９を設けることも可能である。
【００３０】
図３〜図５には、リンクプレートチェーンの本発明による実施例が、それぞれ図１の線分Ｉ−Ｉに基づく断面図、つまり走行方向Ｌで見たリンクプレートチェーン１の横断面図において示されている。それぞれ１つのリンクプレートチェーン１と歯車１０とが示されていて、この歯車１０とリンクプレートチェーンの歯９とが噛み合う。図１では、スペースエレメントである１枚の個別のスペースリンクプレート１１が、２枚のリンクプレート２もしくは対応リンクプレート３との間に配置されている。図６には、図３に基づくリンクプレートチェーンが斜視図で示されている。見て分かるように、スペースリンクプレート１１はそれぞれ２枚のリンクプレート２の間に配置されている。この場合、リンクプレートスタックはスペースリンクプレート１１の両側で同じスタック厚さであり、それぞれ３枚のリンクプレート２を有している。従って、スペースリンクプレートは中央の位置に配置されている。走行方向で見て、リンクプレートスタックの両側には、図３から図６のリンクプレートチェーン１においてガイドリンクプレート１２が配置されている。これらのガイドリンクプレート１２は歯車１０を囲んでいて、従って公知の形式では歯車９において走行方向Ｌに対して横方向でリンクプレートチェーン１をガイドするために提供される。
【００３１】
図４には、本発明のよるリンクプレートチェーンの別の実施例が示してある。ここでは２枚のリンクプレート２の間に２枚の狭幅なスペースリンクプレート１１′，１１′′が配置されている。これらのスペースリンクプレート１１′，１１′′は、１つのチェーンリンク、つまり１つのリンクプレートスタックの内側の任意の個所に配置することができ、２枚のスペースリンクプレートの代わりにより多くのスペースリンクプレートを設けることもできる。
【００３２】
図５には、本発明によるリンクプレートチェーンの第３の実施例が示されている。ここでは１枚のリンクプレート２と１枚のガイドリンクプレート１２との間にそれぞれ１枚のリンクプレート１１′，１１′′が、それぞれ配置されている。
【００３３】
リンクプレート２の間にそれぞれ配置する代わりに、スペースリンクプレート１１を対応リンクプレート３の間に配置することもできる。同様に、特に３リンクプレート複合体の場合に、スペースリンクプレート１１をリンクプレート２と対応リンクプレート３との間に配置するということも可能である。
【００３４】
図７ａ〜図１０ｂにはスペースリンクプレート１１の実施例が、図１に対応した断面図もしくは側面図で示してある。スペースリンクプレート１１は、実質的に歯９を備えていない１枚のリンクプレート２の側面図に相当する。従って特に図７ａによるスペースリンクプレート１１は、リンクプレート２の歯９が噛み合っている場合に、組込み位置において歯車１０寄りの側で歯車１０の歯列に突入していない。このことは図３〜図５に対応する。図３〜図５から分かるように、スペースリンクプレート１１は歯車１０の歯面上側エッジに接触してはおらず、このことは破線１３として示されている。図７ｂには、図７ａのスペースリンクプレート１１が、走行方向Ｌでリンクプレートチェーン１の縦断面図で組付け位置において示されている。孔１３はそれぞれ２つのロッカーピン５，６に接触していて、従ってその位置において保持される。
【００３５】
図８ａ及び図８ｂには、スペースリンクプレート１１の択一的な実施例が示されている。スペースリンクプレート１１は、ここでは簡単に見分けが付くように符号１１ａで示してある。２つの孔１３の代わりに、ここでは長孔の形式の収容開口１３ａが設けられている。その結果、スペースリンクプレートはそれぞれ歯９を有するリンクプレート２に対応配置された２つのロッカーピン５にのみ接触していて、スペースリンクプレート１１ａは、その位置において走行方向Ｌで保持される。従って、図８ａの横断面で、スペースリンクプレート１１ａは実質的に閉じられたリングの形状を有している。スペースリンクプレート１１ａの両側の凹部１５は、リンクプレートチェーンの内側で可能な全４つの組込み位置において、歯面上側エッジ１４に対して比較的大きな間隔を提供する。
【００３６】
図９ａ及び図９ｂは、本発明によるスペースリンクプレート１１ｂの別の実施例が示してある。１つの孔１３の代わりに、ここではそれぞれ１つの開口１６が設けられている。この開口１６は同じ側に向かってそれぞれ１つの貫通部１７が備え付けられていて、従って、クリップ形式でロッカーピン５，６を囲んでいる。このことは、リンクプレートチェーン１をまずリンクプレート２と対応リンクプレート３及びロッカーピン５，６とガイドリンクプレート１２に前組付けし、リンクプレートチェーン１にスペースリンクプレートを後から組付けることを可能にする。この場合、個別のリンクプレート２もしくは対応リンクプレート３の間には所定の間隔が残る。リンクプレートチェーン１の前組付け後に、スペースリンクプレート１１ｂを後から組み付けることができ、スペースリンクプレート１１ｂは、貫通部１７によってクリップ形式でロッカーピン５，６に押し付けられる。
【００３７】
図１０ａ及び図１０ｂには１枚のスペースリンクプレートの別の択一的な実施例１１ｃが示されている。開口１６と貫通部１７とは、図９ａ及び図９ｂの実施例に相応している。図１０ａ及び図１０ｂの実施例では、スペースリンクプレート１１ｃの、貫通部１７に相対する側に歯１８が配置されている。これらの歯１８はリンクプレートチェーン１の組込み位置において、図１０ｂのチェーン走行平面で見て、つまりリンクプレートチェーン１の走行方向Ｌに対して横方向で、リンクプレート２の歯９に完全に一致している。択一的には図１１のスペースリンクプレート歯１８は、歯９の輪郭を少なくとも部分的に突出することができ、このことはここでは矢印２０により示されている。突出する、というのはここでは、スペースリンクプレート歯１８が歯９の歯面プロフィールを越えて出ているので、スペースリンクプレート歯１８が歯車１０と歯９とが噛み合う場合に歯車１０の歯に突入する、つまり歯車１０の歯面プロフィールにオーバラップすることと解される。チェーン走行平面におけるスペースリンクプレート１１ｃの包絡輪郭は、リンクプレート及び／又は対応リンクプレートの歯の領域における、リンクプレート及び／又は対応リンクプレート自体の歯の包絡輪郭よりも大きく寸法設定されている。このことは歯車１０とリンクプレートチェーン１とが噛み合う際に、スペースリンクプレート歯１８の突出部２０が弾性的に変形するという結果を生み、このことはリンクプレートチェーン１のチェーン走行時の騒音緩衝をもたらす。
【図面の簡単な説明】
【００３８】
【図１】リンクプレートチェーンの側面図である。
【図２】リンクプレートチェーンを上から見た図である。
【図３】本発明によるリンクプレートチェーンの第１の実施例を示した図である。
【図４】本発明によるリンクプレートチェーンの第２の実施例を示した図である。
【図５】本発明によるリンクプレートチェーンの第３の実施例を示した図である。
【図６】図３のリンクプレートチェーンの斜視図である。
【図７】図７ａ及び図７ｂは、本発明によるスペースリンクプレートの第１の実施例を示した図である。
【図８】図８ａ及び図８ｂは、本発明によるスペースリンクプレートの第２の実施例を示した図である。
【図９】図９ａ及び図９ｂは、本発明によるスペースリンクプレートの第３の実施例を示した図である。
【図１０】図１０ａ及び図１０ｂは、本発明によるスペースリンクプレートの第４の実施例を示した図である。
【図１１】図１０ｂの組込み位置におけるスペースリンクプレートの拡大図である。
【符号の説明】
【００３９】
１  リンクプレートチェーン、  ２  リンクプレート、  ３  対応リンクプレート、  ４  ジョイントピン、  ５  リンクプレートチェーンに対応配置されたロッカーピン、  ６  対応リンクプレートに対応配置されたロッカーピン、  ７，７′  転動プロフィール、  ８，８′  チェーンリンク、  ９  歯、  １０  歯車、  １１，１１′，１１″，１１′′′，１１′′′′，１１ａ，１１ｂ，１１ｃ  スペースリンクプレート、  １２  ガイドリンクプレート、  １３  孔、  １３ａ  収容孔、  １４  歯面上側エッジ、  １５  凹部、  １６  開口、  １７  貫通部、  １８  スペースリンクプレートの歯、  １９  歯面プロフィール、  ２０  歯面プロフィールの突出部
【図１】
0005570120.tif 000002
【図２】
0005570120.tif 000003
【図３】
0005570120.tif 000004
【図４】
0005570120.tif 000005
【図５】
0005570120.tif 000006
【図６】
0005570120.tif 000007
【図７ａ】
0005570120.tif 000008
【図７ｂ】
0005570120.tif 000009
【図８ａ】
0005570120.tif 000010
【図８ｂ】
0005570120.tif 000011
【図９ａ】
0005570120.tif 000012
【図９ｂ】
0005570120.tif 000013
【図１０ａ】
0005570120.tif 000014
【図１０ｂ】
0005570120.tif 000015
【図１１】
0005570120.tif 000016